(57)【要約】【課題】外で待ち伏せした強盗等の第三者に最終退場について知らせないようにすることができる警戒装置を提供すること。【解決手段】警戒設定指示を取得する異常検出信号入力回路１１（警戒指示取得部）と、所定の通報先に通報をする通報部１４と、警戒設定指示が取得されてから所定の遅延時間の経過を計時する遅延タイマ１５ａと、照明４を消灯する照明スイッチ１３と、警戒設定後の異常検出時に通報部１４に通報をさせるとともに、遅延時間の経過時に照明スイッチ１４に照明４を消灯させる制御部１６とを備えるよう構成した。【選択図】　図１
2004046390.tif 000002
【特許請求の範囲】
【請求項１】
警戒設定指示を取得する警戒指示取得部と、所定の通報先に通報をする通報部と、前記警戒設定指示が取得されてから所定の遅延時間の経過を計時するタイマと、照明を消灯する照明スイッチと、警戒設定後の異常検出時に前記通報部に通報をさせる制御部とを備え、前記制御部は、前記遅延時間の経過時に前記照明スイッチに照明を消灯させるようにしたことを特徴とする警戒装置。
【請求項２】
前記遅延時間が指定される遅延時間指定部と、前記遅延時間を記憶する記憶部とを備えることを特徴とする請求項１に記載の警戒装置。
【請求項３】
警戒設定指示を取得する警戒指示取得部と、所定の通報先に通報をする通報部と、照明の消灯時刻が指定される消灯時刻指定部と、現在時刻を計時するタイマと、照明を消灯する照明スイッチと、警戒設定後の異常検出時に前記通報部に通報をさせる制御部とを備え、前記制御部は、前記消灯時刻が経過する前に前記警戒設定が指示された場合、前記消灯時刻が経過するまで前記照明の状態を維持し、前記消灯時刻の経過後に前記照明を消灯させるようにしたことを特徴とする警戒装置。
【請求項４】
前記制御部は、警戒設定された状態で人体が検出されたとき、前記照明を点灯させるようにしたことを特徴とする請求項１乃至請求項３の何れかに記載の警戒装置。
【請求項５】
前記通報部の代わりに、警戒設定状態における異常検出時に警報を発する警報部を備えたことを特徴とする請求項１乃至請求項４の何れかに記載の警戒装置。
【請求項６】
警戒設定指示を取得するステップと、前記警戒設定指示により警戒を開始するステップと、前記警戒設定指示が取得されてから所定の遅延時間の経過を計時するステップと、前記遅延時間の経過時に照明を消灯させるステップとを含むことを特徴とする警戒方法。
【請求項７】
警戒設定指示を取得するステップと、前記警戒設定指示により警戒を開始するステップと、予め指定された消灯時刻を経過するまで待機するステップと、前記消灯時刻になったとき前記照明を消灯させるステップとを含むことを特徴とする警戒方法。
【発明の詳細な説明】
【０００１】
【発明の属する技術分野】
本発明は、無人になっても侵入者等の警戒をする警戒装置に関する。
【０００２】
【従来の技術】
従来の警戒装置は、一般に、最終退場者等が、警戒の開始を指示する警戒設定操作をするようになっており、夜間の場合には警戒設定操作をして照明の消灯をした後に警戒区域から離れるようになっていた。
【０００３】
【発明が解決しようとする課題】
しかしながら、従来の警戒装置においては、第三者が、照明が消されたことによって職員の退場と他の者が中にいないこと（すなわち最終退場）を推定し、建物の通用口で待ち伏せて職員を捕まえ、職員に警戒セットスイッチの解除を強要するという押し込み強盗の問題があった。
【０００４】
本発明はこのような問題を解決するためになされたもので、外で待ち伏せした強盗等の第三者に最終退場について知らせないようにすることができる警戒装置を提供するものである。
【０００５】
【課題を解決するための手段】
本発明の警戒装置は、警戒設定指示を取得する警戒指示取得部と、所定の通報先に通報をする通報部と、前記警戒設定指示が取得されてから所定の遅延時間の経過を計時するタイマと、照明を消灯する照明スイッチと、警戒設定後の異常検出時に前記通報部に通報をさせる制御部とを備え、前記制御部は、前記遅延時間の経過時に前記照明スイッチに照明を消灯させるようにした構成を有している。
【０００６】
この構成により、最終退場者等が警戒区域から離れるまで照明の消灯を遅延できることとなり、外で待ち伏せした強盗等の第三者に最終退場について知らせないようにすることができ、省電力も図ることができる。
【０００７】
本発明の警戒装置は、前記遅延時間が指定される遅延時間指定部と、前記遅延時間を記憶する記憶部とを備える構成を有している。
【０００８】
この構成により、最終退場者等が警戒設定操作をしてから警戒区域を離れるまでの所要時間が環境や都合によって異なる場合であっても、警戒設定操作をしてから警戒区域を十分に離れるまでの時間が必要十分確保されることとなる。
【０００９】
本発明の警戒装置は、警戒設定指示を取得する警戒指示取得部と、所定の通報先に通報をする通報部と、照明の消灯時刻が指定される消灯時刻指定部と、現在時刻を計時するタイマと、照明を消灯する照明スイッチと、警戒設定後の異常検出時に前記通報部に通報をさせる制御部とを備え、前記制御部は、前記消灯時刻が経過する前に前記警戒設定が指示された場合、前記消灯時刻が経過するまで前記照明の状態を維持し、前記消灯時刻の経過後に前記照明を消灯させるようにした構成を有している。
【００１０】
この構成により、予め設定された消灯時刻になったときに消灯されることとなり、外で待ち伏せした強盗等の第三者に帰宅時間を知らせないようにすることができる。
【００１１】
本発明の警戒装置は、前記制御部は、警戒設定された状態で人体が検出されたとき、前記照明を点灯させるようにした構成を有している。
【００１２】
この構成により、侵入者を威嚇することができる。
【００１３】
本発明の警戒装置は、前記通報部の代わりに、警戒設定状態における異常検出時に警報を発する警報部を備えた構成を有している。
【００１４】
この構成により、警報装置の場合にも、外で待ち伏せした強盗等の第三者に最終退場について知らせないようにすることができる。
【００１５】
【発明の実施の形態】
以下、本発明の実施の形態について、図面を用いて説明する。
【００１６】
（第１の実施の形態）
図１は、本発明の第１の実施の形態の警戒装置１０を示すブロック図である。図１において、本実施の形態の警戒装置１０は、侵入者検出等による通報を行なうようになっている。
【００１７】
警戒装置１０は、人体を検出するセンサ１と、非常事態発生時に通報を指示する通報ボタン２と、警戒設定及び警戒解除を指示する警戒スイッチ３と、警戒区域に設置された照明４と、通報するための電話回線５とが接続されている。
【００１８】
異常検出信号入力回路１１は、センサ１から人体検出信号を取得するとともに、通報ボタン２から非常事態発生信号を取得するものである。警戒信号入力回路１２（警戒指示取得部）は、警戒スイッチ３から警戒設定指示信号及び警戒解除指示信号を取得するものである。
【００１９】
照明スイッチ１３は、警戒区域に設定された照明４の消灯と点灯とを切り換えるものである。
【００２０】
通報部１４は、電話回線５を介して、所定の通報先６に異常検出について通報するためのものである。具体的には、通報部１４は、制御部１６の指示に従い、電話回線５を捕捉して予め決められた通報先６を発呼し、制御部１６が生成した通報データを通報先６に送信する。
【００２１】
タイマ１５は、警戒設定指示が取得されてから所定の遅延時間の経過を計時する遅延タイマ１５ａと時刻を計時する実時間タイマ１５ｂとからなる。
【００２２】
制御部１６は、警戒設定後の異常検出時に通報部１４に通報をさせるとともに、遅延時間の経過時に照明スイッチ１３に照明を消灯させるようになっている。また、制御部１６は、所定の消灯時刻が経過する前に警戒設定が指示された場合、消灯時刻が経過するまで照明の状態を維持し、消灯時刻の経過後に照明を消灯させるようになっている。また、制御部１６は、警戒設定された状態で人体が検出されたとき、照明を点灯させるようになっている。
【００２３】
設定操作部１７（遅延時間指定部、消灯時刻指定部）は、消灯時刻及び遅延時間が指示されるものである。
【００２４】
記憶部１８は、設定操作部１７によって指定された消灯時刻及び遅延時間を記憶するものである。
【００２５】
次に、本実施の形態の警戒装置１０の動作を説明する。
【００２６】
図１において、例えば日中は人がいるので、警戒スイッチ３によって警戒解除操作がなされており、例えば最終退場者の帰宅時には警戒スイッチ３によって警戒設定操作がなされる。警戒スイッチ３から警戒設定指示信号を受けた警戒設定状態（警戒モード）においては、センサ１によって人体が検出されたとき、制御部１６によって通報データが生成され、通報部１４によって所定の通報先６に通報がなされる。また、警戒スイッチ３から警戒解除指示信号を受けた警戒解除状態（非警戒モード）においては、センサ１によって人体が検出されたとき、制御部１６によってセンサ１からの人体検出信号が無視される一方、通報ボタン２が操作されたとき、制御部１６によって通報データが生成され、通報部１４によって所定の通報先６に通報がなされる。
【００２７】
図２は、消灯時刻が設定されている場合の制御部１６による警戒処理の例を示すフローチャートである。図２において、まず、警戒スイッチ３による警戒設定指示であるか否かを判定し（Ｓ１）、警戒設定指示である場合、予め記憶された消灯時刻を経過したか否かを判定する（Ｓ２）。
【００２８】
消灯時刻を経過する前に警戒設定指示があった場合には、警戒モードになり（すなわち警戒を開始し）（Ｓ１１）、消灯時刻になるまで照明を点灯させておき（Ｓ１２）、消灯時刻経過後に照明を消灯させる（Ｓ１３）。
【００２９】
消灯時刻の経過後に警戒設定指示があった場合には、警戒モードになり（すなわち警戒を開始し）（Ｓ２１）、遅延タイマ１５ａによる計時を開始し（Ｓ２２）、遅延時間の経過を待ち（Ｓ２３）、照明を消灯させる（Ｓ２４）。
【００３０】
（第２の実施の形態）
図３は、本発明の第２の実施の形態の警戒装置３１０を示すブロック図である。図３において、警戒装置３１０は、異常検出時に警報を発する警報装置として適用された例である。なお、図３において、図１に示した第１の実施の形態の警戒装置１０と同じ構成要件には、同じ符号を付してあり、第１の実施の形態において説明したので説明を省略する。
【００３１】
図３において、本実施の形態の警戒装置３１０は、異常検出時に警報音を発するとともに警報灯を点灯する警報部３１４を備える。
【００３２】
次に本実施の形態の警戒装置１０の動作について説明する。
【００３３】
消灯時刻前に警戒スイッチ３によって警戒設定指示がされた場合には、警戒が開始されるとともに、消灯時刻になったときに照明スイッチ１３によって照明４が消灯される。
【００３４】
消灯時刻後に警戒スイッチ３によって警戒設定指示がされた場合には、警戒が開始されるとともに、警戒設定指示が取得されてから遅延時間の経過が遅延タイマ１５ａによって計時され、遅延時間の経過時に照明スイッチ１３によって照明４が消灯される。
【００３５】
警戒設定状態においては、センサ１によって人体が検出されたとき、警報部３１４によって警報が発せられる一方、警戒解除時に警報ボタン３０２が操作されたとき、警報部３１４によって警報が発せられる。
【００３６】
【発明の効果】
本発明によれば、外で待ち伏せした強盗等の第三者に最終退場について知らせないようにすることができるという優れた効果を有する警戒装置を提供することができる。
【図面の簡単な説明】
【図１】本発明の第１の実施の形態の警戒装置を示すブロック図
【図２】本発明の第１の実施の形態の警戒装置における警戒処理の例を示すフローチャート
【図３】本発明の第２の実施の形態の警戒装置を示すブロック図
【符号の説明】
１　　センサ
２　　通報ボタン
３　　警戒スイッチ
４　　照明
５　　電話回線
６　　通報先
１０、３１０　警戒装置
１１　異常検出信号入力回路
１２　警戒信号入力回路（警戒指示取得部）
１３　照明スイッチ
１４　通報部
１５　タイマ
１５ａ　遅延タイマ
１５ｂ　実時間タイマ
１６　制御部
１７　設定操作部（遅延時間指定部、消灯時刻指定部）
１８　記憶部
３０２　警報ボタン
３１４　警報部
【図１】
2004046390.tif 000003
【図２】
2004046390.tif 000004
【図３】
2004046390.tif 000005